(57)【特許請求の範囲】
【請求項１】
壁及び窓が取付く壁取付部及び窓枠が一体的に構成されたパネルユニットと、  
立ち上り部と敷設部からなるＬ字に形成された横架構材と、
ＲＣ造又はＳＲＣ造の開口部下面の躯体に形成されるアンカーに入り込むネジを切った貫通軸及びナットを用いて前記横架構材の高さを調整する高さ調整機構からなり、
前記高さ調整機構の貫通軸を、前記横架構材の敷設部に貫通させ高さ調整し、ナットで締め付け固定した後に、
前記横架構材に、前記パネルユニットの脚部を載置のすることで前記パネルユニットを支持し、
前記パネルユニットの壁取付部に軽量気泡コンクリートパネルを組み付けることを特徴とする壁及び窓枠取付構造。
【発明の詳細な説明】
【技術分野】
【０００１】
本発明は、ＲＣ躯体又はＳＲＣ躯体に、壁や窓枠を取付けるための壁及び窓枠取付構造に関する。
【背景技術】
【０００２】
従来、軽量コンクリートパネルの躯体の開口部に窓枠取付枠を効率よく構成する技術がある（例えば、特許文献１参照）。特許文献１によれば、組立て可能な窓枠取付枠の構成部材を工場で製造しておき、それらの構成部材を施工現場まで搬送し、構成部材を施工現場でボルトで組立てて窓枠取付枠とする。そして、この窓枠取付枠を軽量コンクリート躯体で形成された開口部に固定することとしていた。施工現場での溶接作業が不要であるため、窓枠取付枠を効率よく構成することができる。
【０００３】
また、窓枠取付枠と窓枠を工場でユニット化しておき、該ユニットを施工現場で取り付ける技術がある（例えば、特許文献２参照）。
【先行技術文献】
【特許文献】
【０００４】
【特許文献１】特開平１１−３６４８４
【特許文献２】特開平６−２９９７５８
【発明の概要】
【発明が解決しようとする課題】
【０００５】
しかしながら、特許文献１の前記構成部材は施工現場で組立てるため、組立ての作業が煩雑であるという問題があった。
【０００６】
また、特許文献２の窓枠取付枠等の構成部材が工場で精度よくユニット化されるために、これらのユニットを取付ける躯体にも高い精度が要求されていた。このため、これらのユニットは、精度よく構成できる鉄骨造の躯体への適用が主であり、高い精度を確保し難い鉄筋コンクリート（ＲＣ）造の躯体や、鉄骨鉄筋コンクリート（ＳＲＣ）造の躯体には適用しにくかった。
【０００７】
本発明の目的は、躯体に高い精度が要求できない場合でも、壁及び窓枠の取付けを、高い精度で容易に行うことである。
【課題を解決するための手段】
【０００８】
上記目的を達成するための第１の壁及び窓枠取付構造は、壁及び窓が取付く壁取付部及び窓枠が一体的に構成されたパネルユニットと、立ち上り部と敷設部からなるＬ字に形成された横架構材と、ＲＣ造又はＳＲＣ造の開口部下面の躯体に形成されるアンカーに入り込むネジを切った貫通軸及びナットを用いて前記横架構材の高さを調整する高さ調整機構からなり、前記高さ調整機構の貫通軸を、前記横架構材の敷設部に貫通させ高さ調整し、ナットで締め付け固定した後に、前記横架構材に、前記パネルユニットの脚部を載置のすることで前記パネルユニットを支持し、前記パネルユニットの壁取付部に軽量気泡コンクリートパネルを組み付けることを特徴とする。
【発明の効果】
【０００９】
第１の壁及び窓枠取付構造によれば、躯体に高い精度が要求できない場合でも、壁及び窓枠の取付けを、高い精度で容易に行うことができる。
【図面の簡単な説明】
【００１０】
【図１】壁及び窓枠取付構造の斜視図。
【図２】パネルユニットの脚部の拡大斜視図。
【図３】パネルユニットと横架構材が取付く様子を示す斜視図。
【図４】壁及び窓枠取付構造の断面図。
【発明を実施するための形態】
【００１１】
図を用いて本発明の実施形態を説明する。図１は壁及び窓枠取付構造の完成時の斜視図である。図２はパネルユニットの脚部の拡大斜視図である。図３はパネルユニットと横架構材が取付く様子を示す斜視図である。図４は壁及び窓枠取付構造の断面図であり、（ａ）はパネルユニットの側面の部材を側方から見た図で（ｂ）はパネルユニットの側面の部材を上方から見た断面図である。
【００１２】
（壁及び窓枠取付構造の構成）
図１に示すように、壁及び窓枠取付構造１は、躯体10で囲まれる開口部Ｓに形成される。窓枠取付構造１は、壁及び窓が取付く壁取付部及び窓枠が一体的に構成されたパネルユニット20と、躯体10に固定されパネルユニット20の下部が取付く横架構材30と、横架構材30の躯体10の下部からの高さを調整する高さ調整機構40とを有する。
【００１３】
躯体10は、鉄筋コンクリート（ＲＣ）造の躯体や、鉄骨鉄筋コンクリート（ＳＲＣ）造の躯体である。本実施形態においては、図１に示すように、パネルユニット20としてのサッシユニットを取り付けるための開口部Ｓが形成されている。
【００１４】
パネルユニット20には、図１及び図３に示すように、サッシや窓が取付く窓枠21が上部の内部側に形成され、壁が取付く壁取付部22が窓枠21の下方及びパネルユニット20の両側面に形成される。窓枠21と壁取付部22とは、工場で一体的に構成される。このためパネルユニット20は、施工現場で組立てることがなく、また高い寸法精度で構成することができる。
【００１５】
また、図１に示すように、パネルユニット20の下端部には、横架構材30に取付けるための脚部23が形成される。脚部23は、図２に示すように、横架構材30に上から載置されることで、横架構材30に対して嵌まり込むように、下方に開いた切込23ａが形成される。このため、切込23ａを横架構材30の立ち上がり部31に嵌め込めば、開口部Ｓの面に対して直交する方向の位置決めを容易に行うことができる。
【００１６】
横架構材30は、図１乃至図３に示すように、Ｌ字に折れ曲がった鋼材で構成される。具体的には、鉛直方向に立ち上がる立ち上がり部31と、開口部Ｓ下面の躯体10に対して水平に形成された敷設部32とによって一体的に構成される。
【００１７】
横架構材30は、その敷設部32をボルト等の固定冶具を用いることによって躯体10に固定される。そして、その立ち上がり部31でパネルユニット20の下部の脚部23を受け、開口部Ｓのある面と直交する方向の位置を規制する。尚、横架構材30の躯体10の下部の高さは、高さ調整機構40によって調整する。
【００１８】
高さ調整機構40は、図１に示すように、横架構材30の長手方向に沿って、複数配設されている。高さ調整機構40の具体的な構成は、図４（ａ）に示すように、横架構材30の敷設部32を貫通する棒状の貫通軸41と、敷設部32の下面に当接する当接軸42とで構成されている。また、貫通軸41と当接軸42とは開口部Ｓの面と直交する方向に並列して配列される。
【００１９】
貫通軸41と当接軸42には、外周面にネジが切られており、貫通軸41はナット41ａと螺合し、当接軸42は頭部42ａを有する。貫通軸41と当接軸42が取付く躯体10には、それぞれが入り込むアンカー41ｂ、42ｂが平行に形成され、ナット41ａ、頭部42ａを回転させることに伴い、アンカーが形成される方向に沿って貫通軸41や当接軸42が上下に移動する。そしてナット41ａによって、躯体10と貫通軸41とを固定する。
【００２０】
尚、図４（ａ）に示すように、パネルユニット20の上部は固定鋼材50によって、躯体10の上部に対して固定される。固定鋼材50は山形鋼であり、パネルユニット20の上端が突き当たり位置決めをする突当面51と、躯体10の上部に当接させて敷設される敷設面52とを有する。また、固定鋼材50の固定は、突当面51とパネルユニット20とをボルト等の固定冶具53によって行われ、敷設面52と躯体10上部とをアンカーボルト54と、アンカー54ｂによって行われる。
【００２１】
この構成により、高さ調整機構40によって横架構材30の高さを調整する際には、躯体10上に載置された高さ調整機構40の上部に突き出た貫通軸41及び当接軸42を、ナット41ａ、頭部42ａによって上下方向に移動させることで、横架構材30の高さを調整する。また、固定冶具33によって敷設部32を貫通軸41に対して固定することで、横架構材30の姿勢及び高さが決定される。
【００２２】
（パネルユニット20の取付方法）
以上のような構成から、壁及び窓枠取付構造１を形成する場合の、パネルユニット20の取付方法について、図を用いて説明する。
【００２３】
まず、図３に示すように、躯体10の開口部Ｓの下方にレール状の横架構材30を敷設する。ここで、横架構材30と躯体10との間には、高さ調整機構40を配設されているため、横架構材30の高さを適切な高さとするとよい。
【００２４】
次に、図２及び図４（ａ）に示すように、パネルユニット20の下部にある脚部23の切込23ａを、横架構材30の立ち上がり部31に差し込む。これにより、開口部Ｓの面と直交する方向の位置決めが確実になされる。
【００２５】
次に、図１乃至図４（ａ）に示すように、パネルユニット20の上端を、予め躯体10の上部に敷設されている固定鋼材50で固定する。具体的には、図４（ａ）に示すように、下部を横架構材30で固定されたパネルユニット20に対して、開口部Ｓ側から固定鋼材50を貫通した固定冶具53を通し、固定する。
【００２６】
これにより、パネルユニット20を開口部Ｓに対して取り付けることができる。この後、図１に示すパネルユニット20の窓枠21には、窓を組み込み、壁取付部22には、軽量気泡コンクリート（ＡＬＣ）パネルを組み付けることによって、開口部Ｓが覆われることになる。
【００２７】
以上のように、本実施形態の壁及び窓枠取付構造によれば、パネルユニット20として壁取付部22と窓枠21とが一体的に構成されている。このため、壁取付部22と窓枠21とを組立てる手間がかからず、施工現場で容易に敷設することができる。
【００２８】
また、壁取付部22と窓枠21とを工場で一体的に構成することで、高い精度でパネルユニット20を構成することができる。更に、横架構材30の高さを調整する高さ調整機構40を有するため、建物の躯体がＲＣ造又はＳＲＣ造のものであって施工現場で精度を確保することが困難な場合であっても、横架構材30の高さを精度よくすれば、横架構材30に固定されるパネルユニット20は工場で精度よく構成されているため、パネルユニット20の位置精度を高く維持することができる。
【００２９】
また、高さ調整機構40は、躯体10に形成されるアンカー41ｂ、42ｂに入り込むネジを切った軸41、42及びナット41ａ、頭部42ａを用いて横架構材30の高さを調整する。このため、簡単な構成で且つ精度よく横架構材30の高さを調整することができる。また、ＲＣ躯体又はＳＲＣ躯体のような、精度を施工現場で高く維持することが困難な躯体であっても、横架構材30の高さを調整し確実に水平にすることで、パネルユニット20をも精度高く取り付けることができる。
【産業上の利用可能性】
【００３０】
本発明は、ＲＣ躯体、ＳＲＣ躯体以外にも適用することができる。
【符号の説明】
【００３１】
Ｓ…開口部、１…窓枠取付構造、10…躯体、20…パネルユニット、21…窓枠、22…壁取付部、23…脚部、23ａ…切込、30…横架構材、31…立ち上がり部、32…敷設部、33…固定冶具、40…高さ調整機構、41…貫通軸、41ａ…ナット、41ｂ…アンカー、42…当接軸、42ａ…頭部、42ｂ…アンカー、50…固定鋼材、51…突当面、52…敷設面、53…固定冶具、54…アンカーボルト、54ｂ…アンカー
【図１】
0005216906.tif 000002
【図２】
0005216906.tif 000003
【図３】
0005216906.tif 000004
【図４】
0005216906.tif 000005